(57)【要約】【課題】太陽光パネルから電力を効率良く得ることができると共に、冷暖房のための電力消費を効果的に抑制できる環境に配慮した建物を提供する。【解決手段】主屋根１１が、屋根棟１２を挟んで配置される南側屋根面１３と北側屋根面１４とを有しており、主屋根１１を平面視した際に、屋根棟１２が北側にずれており、南側屋根面１３の屋根勾配が北側屋根面１４の屋根勾配よりも小さく、且つ南側屋根面１３の面積が北側屋根面１４の面積よりも大きくなっており、南側屋根面１３に太陽光パネル１５が設置されている。南側屋根面の下方において、２階部分２０は、当該２階部分２０の床部２１が１階部分３０の床部３１よりも南側にはね出た、はね出し部２２を有する。南側屋根面１３は、はね出し部２２に支持されて、２階部分から南側に軒１３ａを張り出させている。【選択図】図１
2017179911.tif 000002
【特許請求の範囲】
【請求項１】
屋根面に設置された太陽光パネルから電力を得ると共に、冷暖房による電力消費が抑制されている環境に配慮した建物であって、
主屋根が、屋根棟を挟んで南側に配置される南側屋根面と、北側に配置される北側屋根面とを有しており、前記主屋根を平面視した際に、前記屋根棟が北側にずれており、前記南側屋根面の屋根勾配が前記北側屋根面の屋根勾配よりも小さく、且つ前記南側屋根面の面積が前記北側屋根面の面積よりも大きくなっており、前記南側屋根面に前記太陽光パネルが設置されており、
前記南側屋根面の下方において、最上階部分は、当該最上階部分の床部が下階部分の床部よりも南側にはね出た、はね出し部を有しており、
前記南側屋根面は、前記はね出し部に支持されて、前記最上階部分から南側に軒を張り出させて設けられている環境に配慮した建物。
【請求項２】
前記南側屋根面の屋根勾配が１．５／１０〜３／１０となっており、前記北側屋根面の屋根勾配が３／１０〜１２．５／１０となっている請求項１記載の環境に配慮した建物。
【請求項３】
前記南側屋根面の屋根勾配と、前記北側屋根面の屋根勾配との比か１：２〜１：４となっている請求項２記載の環境に配慮した建物。
【請求項４】
前記はね出し部に、バルコニー部が設けられており、該バルコニー部は、前記南側屋根面によって上方を覆われている請求項１〜３のいずれか１項記載の環境に配慮した建物。
【請求項５】
前記主屋根が、切り妻屋根又は寄棟屋根による屋根面となっている請求項１〜４のいずれか１項記載の環境に配慮した建物。
【請求項６】
２階建ての建物である請求項１〜５のいずれか１項記載の環境に配慮した建物。
【発明の詳細な説明】
【技術分野】
【０００１】
本発明は、環境に配慮した建物に関し、特に、屋根面に設置された太陽光パネルから電力を得ると共に、冷暖房による電力消費が抑制されている環境に配慮した建物に関する。
【背景技術】
【０００２】
例えば住宅建築物等の建物では、充実した冷暖房設備によって、夏は涼しく、冬は暖かい快適な屋内環境が得られるようになっており、建物の高断熱化や高気密化を図ることによって、エネルギー消費を削減する工夫もなされている。
【０００３】
また、近年の建物では、高断熱化や高気密化を図った場合でも、冷暖房設備の稼動によるエネルギー消費は年々増加の傾向にあり、地球温暖化などの環境問題を引き起こす要因の一つにもなっている。このようなことから、高断熱化や高気密化が図られた住宅建築物等の建物においても、太陽光による自然の恵みを利用して、より一層の省エネルギー化に寄与できるようにする工夫がなされており、例えば屋根面に太陽電池パネルを設置して、屋内で冷暖房等のために消費する電力を得るようにした建物が、種々開発されている（例えば、特許文献１参照）。
【０００４】
特許文献１の建物では、太陽電池パネル（太陽光パネル）が設置されることで太陽電池付屋根を形成する屋根面の面積を、建物の高さ制限を回避しつつ広げることができるように、大棟を介して隣接する一対の屋根面のうちの北側に延びる屋根面の勾配を、南側に延びる屋根面の勾配よりも緩くして、北側に延びる屋根面にも太陽電池パネルを設置可能とすることにより、太陽電池パネルによる受光量や、これによって得られる電力を増大できるようになっている。
【先行技術文献】
【特許文献】
【０００５】
【特許文献１】特許第４３２８４３７号公報
【発明の概要】
【発明が解決しようとする課題】
【０００６】
上述のように、太陽光パネルが設置される屋根面の面積を広げることで、太陽光パネルにより得られる電力を増大することが可能になるが、従来の屋根面に太陽光パネルが設置された建物では、太陽光パネルを設置するために広げられた大きな屋根面を有効に活用して、屋内における冷暖房のための電力消費を抑制できるようにする工夫はなされていないのが現状である。
【０００７】
また、広げられた大きな屋根面を有効に活用して、太陽光パネルから多くの電力を得ると共に、冷暖房のための電力消費を抑制することで、余剰の電力が生まれることになり、余った電力を有効利用することによって、より一層、環境問題への対応に寄与できるものと考えられる。
【０００８】
本発明は、広げられた屋根面に設置された太陽光パネルから多くの電力を効率良く得ることができると共に、冷暖房のための電力消費を効果的に抑制して、環境問題への対応に寄与することのできる環境に配慮した建物を提供することを目的とする。
【課題を解決するための手段】
【０００９】
本発明は、屋根面に設置された太陽光パネルから電力を得ると共に、冷暖房による電力消費が抑制されている環境に配慮した建物であって、主屋根が、屋根棟を挟んで南側に配置される南側屋根面と、北側に配置される北側屋根面とを有しており、前記主屋根を平面視した際に、前記屋根棟が北側にずれており、前記南側屋根面の屋根勾配が前記北側屋根面の屋根勾配よりも小さく、且つ前記南側屋根面の面積が前記北側屋根面の面積よりも大きくなっており、前記南側屋根面に前記太陽光パネルが設置されており、前記南側屋根面の下方において、最上階部分は、当該最上階部分の床部が下階部分の床部よりも南側にはね出た、はね出し部を有しており、前記南側屋根面は、前記はね出し部に支持されて、前記最上階部分から南側に軒を張り出させて設けられている環境に配慮した建物を提供することにより、上記目的を達成したものである。
【００１０】
そして、本発明の環境に配慮した建物は、前記南側屋根面の屋根勾配が１．５／１０〜３／１０となっており、前記北側屋根面の屋根勾配が３／１０〜１２．５／１０となっていることが好ましい。
【００１１】
また、本発明の環境に配慮した建物は、前記南側屋根面の屋根勾配と、前記北側屋根面の屋根勾配との比か１：２〜１：４となっていることが好ましい。
【００１２】
さらに、本発明の環境に配慮した建物は、前記はね出し部に、バルコニー部が設けられており、該バルコニー部は、前記南側屋根面によって上方を覆われていることが好ましい。
【００１３】
さらにまた、本発明の環境に配慮した建物は、前記主屋根が、切り妻屋根又は寄棟屋根による屋根面となっていることが好ましい。
【００１４】
また、本発明の環境に配慮した建物は、２階建ての建物であることが好ましい。
【００１５】
そして、本発明の環境に配慮した建物によれば、主屋根が、屋根棟を挟んで南側に配置される南側屋根面と、北側に配置される北側屋根面とを有しており、主屋根を平面視した際に、屋根棟が北側にずれており、南側屋根面の屋根勾配が北側屋根面の屋根勾配よりも小さく、且つ南側屋根面の面積が北側屋根面の面積よりも大きくなっており、南側屋根面に太陽光パネルが設置されている。
【００１６】
これによって、例えば南側を向いた屋根面のみによって形成されている、屋根棟のない片流れ屋根のように、頂部が北側斜線による高さの規制を受けることなく、北側屋根面と比較して受光効率の良い南側屋根面に、相当の広さで太陽光パネルの設置面を確保して、多数の太陽光パネルを設置できるようにすることで、より多くの電力を効率良く得ることが可能になる。
【００１７】
また、本発明の環境に配慮した建物によれば、南側屋根面の下方において、最上階部分は、当該最上階部分の床部が下階部分の床部よりも南側にはね出た、はね出し部を有しており、南側屋根面は、はね出し部に支持されて、最上階部分から南側に軒を張り出させて設けられている。
【００１８】
これによって、南側屋根面は、下階部分の床部及び壁面よりも南側に張り出すようにしてはね出た、最上階部分のはね出し部よって、安定した状態で支持されることにより、軒を、最上階部分のはね出し部よりも、さらに南側に張り出させることが可能になるので、南側屋根面に、太陽光パネルの設置面を、さらに広い面積となるように広げることが可能になる。
【００１９】
またこれによって、例えば夏の日射の厳しい時期に、最上階部分のはね出し部に入射する太陽光を、軒によって効果的に遮ることが可能になると共に、下階部分に入射する太陽光を、最上階部分のはね出し部及び軒によって効果的に遮ることが可能になり、また例えば冬の日射が穏やかな時期には、最上階部分のはね出し部や軒の下方を潜らせるようにして、最上階部分のはね出し部や下階部分に太陽光を取り込むことが可能になるので、夏にはより涼しく、冬にはより温かい屋内環境を作り出すことによって、冷暖房による電力消費を効果的に抑制することが可能になる。
【発明の効果】
【００２０】
本発明の環境に配慮した建物によれば、広げられた屋根面に設置された太陽光パネルから多くの電力を効率良く得ることができると共に、冷暖房のための電力消費を効果的に抑制して、環境問題への対応に寄与することができる。
【図面の簡単な説明】
【００２１】
【図１】本発明の好ましい一実施形態に係る環境に配慮した建物を南側から見た正面図である。
【図２】本発明の好ましい一実施形態に係る環境に配慮した建物を上方から見た平面図である。
【図３】本発明の好ましい一実施形態に係る環境に配慮した建物を西側から見た左側面図である。
【図４】本発明の好ましい一実施形態に係る環境に配慮した建物を東側から見た右側面図である。
【図５】図１のＡ−Ａに沿った１階部分の間取り図である。
【図６】図１のＢ−Ｂに沿った２階部分の間取り図である。
【発明を実施するための形態】
【００２２】
本発明の好ましい一実施形態に係る蓄温蓄涼機能を有する環境に配慮した建物１０は、図１〜図６に示すように、好ましくは２階建ての木造の住宅建築物であって、最上階部分である２階部分２０の上方を覆う主屋根１１が、東西方向に延びる屋根棟１２を挟んで両側に傾斜する、南側屋根面１３と北側屋根面１４とを有する切妻屋根となっている。本実施形態の建物１０は、南側屋根面１３の略全面に、多数の太陽光パネル１５が設置されており、設置された太陽光パネル１５から電力を得ることで、太陽光による自然エネルギーを有効に活用できるようになっていると共に、夏は涼しく、冬は暖かい快適な屋内環境を、冷暖房による電力消費を抑制しつつ効率良く作り出すことができるようになっている。
【００２３】
そして、本実施形態の環境に配慮した建物１０は、屋根面（南側屋根面）１３に設置された太陽光パネル１５から電力を得ると共に、冷暖房による電力消費が抑制されている好ましくは２階建ての建物であって、図１〜図６に示すように、主屋根１１が、屋根棟１２を挟んで南側に配置される南側屋根面１３と、北側に配置される北側屋根面１４とを有しており、主屋根１１を平面視した際に、屋根棟１２が北側にずれており、南側屋根面１３の屋根勾配が北側屋根面１４の屋根勾配よりも小さく、且つ南側屋根面１３の面積が北側屋根面１４の面積よりも大きくなっており、南側屋根面１３に太陽光パネル１５が設置されている。南側屋根面の下方において、最上階部分である２階部分２０は、当該２階部分２０の床部２１が１階部分３０の床部３１よりも南側にはね出た、はね出し部２２を有しており（図３、図４参照）、南側屋根面１３は、はね出し部２２に支持されて、２階部分から南側に軒１３ａを張り出させている。
【００２４】
また、本実施形態では、２階部分２０のはね出し部２２に、バルコニー部２３（図６参照）が設けられており、バルコニー部２３は、南側屋根面１３によって上方を覆われている。
【００２５】
本実施形態の建物１０の１階部分３０は、図５に示すように、東西方向に横長の略矩形の平面形状を有しており、１階部分３０の間取りとしては、南東の角部分に位置して、玄関ポーチ３２ａから出入り可能な玄関３２ｂ、玄関収納室３２ｃ及び玄関ホール３２ｄが設けられている。玄関ホール３２ｄの北側には、北東の角部分に位置して、事務室３２ｅが設けられており、事務室３２ｅの西側に隣接して、玄関ホール３２ｄから昇降可能な階段３２ｆが設けられている。
【００２６】
玄関３２ｂ及び玄関ホール３２ｄの西側には、玄関ホール３２ｄから出入り可能なリビング３２ｇが設けられており、リビング３２ｇの北側には、階段３２ｆの西側に隣接して、和室３２ｈが設けられている。和室３２ｈの西側には、ダイニング３２ｉが、リビング３２ｇと連続して設けられており、和室３２ｈには、リビング３２ｇやダイニング３２ｉから出入り可能となっている。ダイニング３２ｉの西側に隣接して、キッチン３２ｊが設けられており、キッチン３２ｊの南側には、リビング３２ｇやダイニング３２ｉと連続する廊下３２ｋを挟んで、寝室３２ｌが設けられている。
【００２７】
寝室３２ｌの西側には、１階部分３０の南西の角部に位置して、寝室３２ｌから出入り可能なウォークインクローゼット３２ｍが設けられている。ウォークインクローゼット３２ｍの北側には、トイレ３２ｎ、洗面室３２ｏ、及び浴室３２ｐが設けられており、浴室３２ｐは、キッチン３２ｊの西側に隣接して、１階部分３０の北西の角部に設けられている。洗面室３２ｏには、廊下３２ｋから出入り可能となっており、トイレ３２ｎや浴室３２ｐには、洗面室３２ｏから出入り可能となっている。
【００２８】
本実施形態では、２階部分２０のはね出し部２２の下方に位置する、リビング３２ｇと寝室３２ｌの南側の壁面には、主として冬の間、太陽光を１階部分３０の屋内に効率良く取り込むことができるように、採光面積の大きな掃出し窓３３が設けられている（図１参照）。
【００２９】
また、２階部分２０のはね出し部２２の下方に位置して、壁状或いは格子状の西日遮光壁３４が、１階部分３０の南西の角部分において、寝室３２ｌ及びウォークインクローゼット３２ｍよりも南側に張り出した状態で設けられている。西日遮光壁３４によって、西日が１階部分３０の屋内に差し込むのをカットすることで、日射の遮蔽効果を向上させることができる。
【００３０】
１階部分３０の玄関ホール３２ｄから階段３２ｆを介して昇降可能な２階部分２０は、図６に示すように、１階部分３０と同様に、東西方向に横長の略矩形の平面形状を有している。２階部分２０の間取りとしては、階段３２ｆの西側に隣接して南北方向に延設する廊下２４ａを介して出入り可能な、リビングダイニングキッチン２５が、２階部分２０の中央部分から南東の角部分に至る領域に亘って、連続して設けられている。リビングダイニングキッチン２５の西側領域のリビング部２５ａの西側には、第１寝室２４ｂが、２階部分２０の南西の角部分に位置して設けられており、寝室２４ｂの北側には、当該第１寝室２４ｂから出入り可能なウォークインクローゼット２４ｃが設けられている。
【００３１】
廊下２４ａの西側には、当該廊下２４ａから出入り可能なトイレ及び洗面室２４ｄを挟んで、第２寝室２４ｅが、リビングダイニングキッチン２５のリビング部２５ａの北側に位置して設けられており、第２寝室２４ｅの西側に隣接して、当該第２寝室２４ｅから出入り可能なウォークインクローゼット２４ｆが、２階部分２０の北西の角部に位置して設けられている。
【００３２】
リビングダイニングキッチン２５の東側領域のダイニング部２５ｂの北側には、リビングダイニングキッチン２５から出入り可能な洗面室２４ｇが設けられており、洗面室２４ｇの北側に隣接して、ユニットバス２４ｈが、２階部分２０の北東の角部に位置して設けられている。
【００３３】
本実施形態では、２階部分２０における、第１寝室２４ｂよりも南側の領域、及びダイニングキッチン２５のリビング部２５ａよりも南側の領域と、リビングダイニングキッチン２５のダイニング部２５ｂよりも南側のキッチン部２５ｃの領域が、２階部分２０の床部２１が１階部分３０の床部３１よりも南側に張り出した、キャンティ区画であるはね出し部２２となっている（図３、図４参照）。はね出し部２２における、キッチン部２５ｃの西側に隣接する部分の領域は、上述のように、南側屋根面１３によって上方を覆われたバルコニー部２３となっており、このバルコニー部２３には、第１寝室２４ｂ及びリビングダイニングキッチン２５のリビング部２５ａから、出入り可能となっている。
【００３４】
また、本実施形態では、第１寝室２４ｂ及びリビングダイニングキッチン２５のリビング部２５ａにおける、はね出し部２２に設けられたバルコニー部２３に面した南側の壁面には、主として冬の間、太陽光を２階部分２０の屋内に効率良く取り込むことができるように、採光面積の大きな掃出し窓２６が設けられている（図１参照）。
【００３５】
さらに、本実施形態では、リビングダイニングキッチン２５のダイニング部２５ｂ、洗面室２４ｇ、及びユニットバス２４ｈの東側に隣接して、東側ベランダ部２７が、１階部分３０の東側端部の直上部分に位置して、洗面室２４ｇから出入り可能に設けられている。第１寝室２４ｂ、及びウォークインクローゼット２４ｃ，２４ｆの西側に隣接して、西側ベランダ部２８が、１階部分３０の西側端部の直上部分に位置して設けられている。西側ベランダ部２８には、２階部分の居室部からは、出入り出来ないようになっている。
【００３６】
そして、本実施形態では、２階部分２０の上方を覆って主屋根１１が設けられており、図１〜図４に示すように、主屋根１１は、東西方向に延びる屋根棟１２を挟んで両側に配置された、南側屋根面１３と北側屋根面１４とを備える切妻屋根となっている。主屋根１１は、平面視した際に、屋根棟１２が北側にずれて配置されており（図２参照）、また南側屋根面１３の屋根勾配が北側屋根面１４の屋根勾配よりも小さくなっている（図３、図４参照）。さらに、南側屋根面１３は、はね出し部２２に支持されて、２階部分から南側に軒１３ａを張り出させており、南側屋根面１３の面積は、北側屋根面１４の面積よりも大きくなっている。本実施形態では、南側屋根面１３のみに、多数の太陽光パネル１５が、縦横に並べて配置されて取り付けられている。
【００３７】
ここで、本実施形態によれば、主屋根１１の屋根棟１２が北側にずれて配置されていることにより、北側屋根面と比較して受光効率の良い南側屋根面を、より大きな面積となるように広げることが可能になる。また、南側屋根面１３の屋根勾配を北側屋根面１４の屋根勾配よりも小さくすることにより、南側屋根面１３の屋根勾配を北側屋根面１４と同じ屋根勾配とした場合と比較して、広げられた南側屋根面の高さを、より高く保持することが可能になり、これによって２階部分２０の屋内空間の天井を高くして、より広い屋内空間を形成することが可能になる。南側屋根面１３は、はね出し部２２に支持されて、２階部分から南側に軒１３ａを張り出させているので、南側屋根面を、さらに大きな面積となるように広げることが可能になる。
【００３８】
このような観点から、南側屋根面１３の屋根勾配は、１．５／１０〜３／１０とし、北側屋根面１４の屋根勾配は、３／１０〜１２．５／１０とすることが好ましい。また、南側屋根面１３の屋根勾配と、北側屋根面１４の屋根勾配との比は、１：２〜１：４とすることが好ましい。本実施形態では、より具体的には、南側屋根面１３の屋根勾配は、好ましくは３／１０となっており、北側屋根面１４の屋根勾配は、好ましくは６／１０となっており、南側屋根面１３の屋根勾配と北側屋根面１４の屋根勾配との比は、好ましくは１：２となっている。これらによって、いわゆる間崩れを生じることなく、主屋根１１の屋根架構を形成することが可能になって、使用材料の削減を図ることが可能になる。
【００３９】
また、本実施形態では、南側屋根面１３の軒１３ａの出寸法を、北側屋根面１４の軒１４ａの出寸法よりも、大きくしておくことができる。より具体的には、南側屋根面１３の軒１３ａの出寸法を例えば１２００ｍｍ程度とし、北側屋根面１４の軒１４ａの出寸法を例えば６００ｍｍ程度とすることができる。これによって、太陽光パネル１５を南側屋根面１３に設置可能な面積を増大させることが可能になると共に、北側斜線による高さ制限を容易に回避することが可能になる。
【００４０】
さらに、本実施形態では、好ましくは北側屋根面１４には太陽光パネル１５を設置することなく、南側屋根面１３のみに、多数の太陽光パネル１５が設けられている。これによって、北側屋根面と比較して受光効率の良い南側屋根面１３に設置された、太陽光パネル１５を効率良く稼働させて、各１基あたりの太陽光パネル１５から多くの電力が得られるようにすることが可能になり、且つ受光効率が劣る北側屋根面１４は太陽光パネル１５を設置しないことで、複数の太陽光パネル１５の全体の可動効率を高めて、費用対効果を向上させることにより、全体のコストダウンを図ることが可能になる。
【００４１】
ここで、南側屋根面１３に設置される、太陽光パネル１５としては、太陽電池パネルとして知られる、公知の各種の太陽光パネルを用いることができる。より具体的には、ソーラーフロンテイア製や、シャープ製、京セラ製、パナソニック製等の太陽光パネルを好ましく用いることができる。太陽光パネル１５は、公知の各種の方法によって、縦横に並べて南側屋根面１３に多数設置することができる。
【００４２】
そして、上述の構成を備える本実施形態の環境に配慮した建物１０によれば、広げられた屋根面（南側屋根面）１３に設置された太陽光パネル１５から、多くの電力を効率良く得ることが可能になると共に、冷暖房のための電力消費を効果的に抑制して、環境問題への対応に寄与することが可能になる。
【００４３】
すなわち、本実施形態によれば、建物１０の主屋根１１が、屋根棟１２を挟んで南側に配置される南側屋根面１３と、北側に配置される北側屋根面１４とを有しており、主屋根１１を平面視した際に、屋根棟１２が北側にずれており、南側屋根面１３の屋根勾配が北側屋根面１４の屋根勾配よりも小さく、且つ南側屋根面１３の面積が北側屋根面１４の面積よりも大きくなっており、南側屋根面１３に太陽光パネル１５が設置されている。
【００４４】
これによって、例えば南側を向いた屋根面のみによって形成されている、屋根棟のない片流れ屋根のように、頂部が北側斜線による高さの規制を受けることなく、北側屋根面１４と比較して受光効率の良い南側屋根面１３に、相当の広さで太陽光パネル１５の設置面を確保して、多数の太陽光パネル１５を設置できるようにすることで、より多くの電力を効率良く得ることが可能になる。
【００４５】
また、本実施形態によれば、南側屋根面１３の下方において、最上階部分である２階部分２０は、当該２階部分２０の床部２１が１階部分（下階部分）３０の床部３１よりも南側にはね出た、はね出し部２２を有しており、南側屋根面１３は、はね出し部２２に支持されて、２階部分から南側に軒１３ａを張り出させて設けられている。
【００４６】
これによって、南側屋根面１３は、１階部分３０の床部３１及び１階部分３０の南側の壁面よりもさらに南側に張り出した、２階部分２０のはね出し部２２よって、安定した状態で支持されることにより、軒１３ａを、２階部分２０のはね出し部２０よりも、さらに南側に張り出させることが可能になるので、南側屋根面１３に、太陽光パネル１５の設置面を、より一層広い面積となるように広げることが可能になる。
【００４７】
またこれによって、例えば夏の日射の厳しい時期には、２階部分２０のはね出し部２２に入射する太陽光を、軒１３ａによって効果的に遮ることが可能になると共に、１階部分３０に入射する太陽光を、２階部分２０のはね出し部２２及び軒１３ａによって効果的に遮ることが可能になり、また例えば冬の日射が穏やかな時期には、２階部分２０のはね出し部２２や南側屋根面１３の軒１３ａの下方を潜らせるようにして、２階部分２０のはね出し部２２や１階部分に太陽光を取り込むことが可能になるので、夏にはより涼しく、冬にはより温かい屋内環境を作り出すことによって、冷暖房による電力消費を効果的に抑制して、環境問題への対応に寄与することが可能になる。
【００４８】
さらに、はね出し部２２に、バルコニー部２３が設けられており、バルコニー部２３は、南側屋根面１３によって上方を覆われているので、バルコニー部２３の奥行分、南側屋根面１３の軒１３ａが深くなることにより、特に夏季における日射の遮蔽効果を向上させることが可能になる。
【００４９】
なお、本発明は上記実施形態に限定されることなく種々の変更が可能である。例えば、最上階部分の上方を覆って設けられる主屋根は、切妻屋根である必要は必ずしも無く、寄棟屋根等の、屋根棟を挟んで南側に配置される南側屋根面と、北側に配置される北側屋根面とを含む、その他の形状の屋根であっても良い。建物は、３階建て以上の建物であっても良い。建物は、住宅建築部以外の、その他の種々の建物であっても良い。
【符号の説明】
【００５０】
１０  環境に配慮した建物
１１  主屋根
１２  屋根棟
１３  南側屋根面
１３ａ  軒
１４  南側屋根面
１４ａ  軒
１５  太陽光パネル
２０  ２階部分
２１  床部
２２  はね出し部
２３  バルコニー部
２６  掃出し窓
３０  ２階部分
３１  床部
３３  掃出し窓
３４  西日遮光壁
【図１】
2017179911.tif 000003
【図２】
2017179911.tif 000004
【図３】
2017179911.tif 000005
【図４】
2017179911.tif 000006
【図５】
2017179911.tif 000007
【図６】
2017179911.tif 000008